(57)【特許請求の範囲】
【請求項１】
直方体状の収納箱の内部に、交互に重ねて折り畳んだティッシュペーパーが収納され、収納箱の上面には、ティッシュペーパーを取り出すための上面取出口が切割線で切り取れるように形成された箱ティッシュであって、
上面または下面と１つの側面とにより構成される角部のうちの少なくとも１つに、その角部を構成する２面のそれぞれ一部と、その２面に隣接する２つの側面のそれぞれ一部とを切り取るように、切割線で形成された角部取出口を有し、
下面に、前記上面取出口から切り取った上面切取片を挿入する挿入口が切割線により形成され、
前記挿入口は、前記上面切取片の挿入方向における側面からの距離が前記上面切取片の長さよりも短くなる位置に設けられた
ことを特徴とする箱ティッシュ。
【請求項２】
前記角部取出口は、その角部を構成する２面のうちの少なくとも一方の切口に、その角部の稜線に向かって突出した角部突出部を有する
ことを特徴とする請求項１記載の箱ティッシュ。
【請求項３】
前記角部取出口は、その角部を構成する２面の切口の対向する位置に、その角部の稜線に向かって突出した２対の角部突出部を有し、前記稜線の中心と両端とに、切取面積が拡大された角部取出拡大部が形成された
ことを特徴とする請求項１または請求項２記載の箱ティッシュ。
【請求項４】
下面に、前記上面切取片を前記挿入口から挿入した時に、前記上面切取片の挿入側と反対側の端部を固定するための固定口が切割線により形成された
ことを特徴とする請求項１から請求項３のいずれか１に記載の箱ティッシュ。
【請求項５】
前記上面取出口は、切口の対向する位置に、対向方向に突出した少なくとも１対の上面突出部を有する
ことを特徴とする請求項１から請求項４のいずれか１に記載の箱ティッシュ。
【請求項６】
前記上面取出口は、一方向に伸長した帯状であり、前記上面突出部を長手方向に並んで２対有し、長手方向の中心と両端とに、切取面積が拡大された上面取出拡大部が形成された
ことを特徴とする請求項５記載の箱ティッシュ。
【請求項７】
直方体状の内部にティッシュペーパーを収納するための収納部が形成され、上面には、ティッシュペーパーを取り出すための上面取出口が切割線で切り取れるように形成された収納箱であって、
上面または下面と１つの側面とにより構成される角部のうちの少なくとも１つに、その角部を構成する２面のそれぞれ一部と、その２面に隣接する２つの側面のそれぞれ一部とを切り取るように、切割線で形成された角部取出口を有し、
下面に、前記上面取出口から切り取った上面切取片を挿入する挿入口が切割線により形成され、
前記挿入口は、前記上面切取片の挿入方向における側面からの距離が前記上面切取片の長さよりも短くなる位置に設けられた
ことを特徴とする収納箱。
【発明の詳細な説明】
【技術分野】
【０００１】
本発明は、内部に折り畳んだティッシュペーパーを収納した箱ティッシュおよびそれに用いる収納箱に関する。
【背景技術】
【０００２】
一般に、箱ティッシュとしては、直方体状の収納箱の内部に折り畳んだティッシュペーパーを積層して収納し、積層方向の上面に設けた取出口からティッシュペーパーを取り出すものが広く用いられている。このような箱ティッシュでは、上面に取出口が設けられているので、上面を開放した状態で使用しなければならず、例えば、机の引き出しに収納して使用する場合には、取出口が露出されるまで引き出しを大きく引かなければティッシュペーパーを取り出しにくいという問題があった。
【０００３】
また、箱ティッシュとしては、上面以外に取出口を設けたものも提案されている。例えば、特許文献１には、側面に取出口を設けた箱ティッシュが記載されており、特許文献２には、上面の中央部に取出口を設けると共に、上面の側辺に取出口を設けた箱ティッシュが記載されている。このような箱ティッシュによれば、上面を広く開放した状態でなくても、ティッシュペーパーを取り出すことができる。
【０００４】
しかしながら、特許文献１に記載されている箱ティッシュでは、側面に取出口を設けているので、上面に取出口を設ける場合と同様にティッシュペーパーを積層して収納すると、積層している面が露出されることになり、ティッシュペーパーを取り出しにくいという問題があった。よって、ティッシュペーパーの収納方法を専用のものとしなければならず、汎用性に乏しかった。一方、特許文献２に記載されている箱ティッシュによれば、従来と同様にティッシュペーパーを積層して用いることができるので、汎用性には優れているものの、上面の側辺に設けている取出口の面積が狭いので、ティッシュペーパーを傷つけずに取り出すことが難しく、しかも、ティッシュペーパーが何枚も取り出されてしまう場合があるという問題があった。
【０００５】
また、従来の箱ティッシュでは、取出口にプラスチック製のフィルムを張り付け、ティッシュペーパーを取り出す際に、一度に何枚も取り出されてしまうことを防止したものが多く見られる。しかし、このようにプラスチック製のフィルムを張り付けると、生産工程が複雑で製造コストも高くなり、しかも、リサイクル時には分別が面倒で、分別が十分にされない場合には不純物として再生に悪影響を与えてしまうという問題があった。
【特許文献１】特開平７−１８７２６１号公報
【特許文献１】特開２００５−３５５９２号公報
【発明の開示】
【発明が解決しようとする課題】
【０００６】
本発明は、このような問題に基づきなされたものであり、汎用性に優れ、かつ、様々な方向からティッシュペーパーを容易に取り出すことができ、更に、プラスチック製のフィルムなどを用いなくても使い勝手の良い箱ティッシュおよびそれに用いる収納箱を提供することを目的とする。
【課題を解決するための手段】
【０００７】
本発明の箱ティッシュは、直方体状の収納箱の内部に、交互に重ねて折り畳んだティッシュペーパーが収納され、収納箱の上面には、ティッシュペーパーを取り出すための上面取出口が切割線で切り取れるように形成されたものであって、上面または下面と１つの側面とにより構成される角部のうちの少なくとも１つに、その角部を構成する２面のそれぞれ一部と、その２面に隣接する２つの側面のそれぞれ一部とを切り取るように、切割線で形成された角部取出口を有し、下面に、上面取出口から切り取った上面切取片を挿入する挿入口が切割線により形成され、挿入口は、上面切取片の挿入方向における側面からの距離が上面切取片の長さよりも短くなる位置に設けられたものである。
【０００８】
本発明の収納箱は、直方体状の内部にティッシュペーパーを収納するための空間が形成され、上面には、ティッシュペーパーを取り出すための上面取出口が切割線で切り取れるように形成されたものであって、上面または下面と１つの側面とにより構成される角部のうちの少なくとも１つに、その角部を構成する２面のそれぞれ一部と、その２面に隣接する２つの側面のそれぞれ一部とを切り取るように、切割線で形成された角部取出口を有し、下面に、上面取出口から切り取った上面切取片を挿入する挿入口が切割線により形成され、挿入口は、上面切取片の挿入方向における側面からの距離が上面切取片の長さよりも短くなる位置に設けられたものである。
【発明の効果】
【０００９】
本発明の箱ティッシュおよび収納箱によれば、上面取出口に加えて、角部取出口を有するようにしたので、様々な方向からティッシュペーパーを取り出すことができ、様々な使い方に対応することができる。よって、上面が広く開放されていない状態、例えば、机の引き出しに収納して用いる場合に、引き出しを大きく引かなくてもティッシュペーパーを容易に取り出すことができる。また、角部取出口は、角部を構成する２面のそれぞれ一部と、その２面に隣接する２つの側面のそれぞれ一部とを切り取るようにしたので、上面取出口から取り出す場合と同様に、次のティッシュペーパーを引き出しながら、ティッシュペーパーを順に取り出すことができる。よって、ティッシュペーパーを特別な折り畳み方や収納をする必要がなく、汎用性を高くすることができると共に、従来と変わらないコストで製造することができる。更に、角部全体を露出させることができるので、ティッシュペーパーを容易に取り出すことができ、ティッシュペーパーが傷ついたり、一度に何枚も取り出されてしまうことを防止することができる。
【００１０】
特に、角部取出口において、角部を構成する２面の少なくとも一方の切口に、稜線に向かって突出した角部突出部を有するようにすれば、ティッシュペーパーを取り出す際に、ティッシュペーパーが何枚も取り出されてしまうことをより容易に防止することができる。よって、プラスチック製のフィルムを用いなくてもよく、生産工程の簡素化および製造コストの低減を図ることができると共に、リサイクル時の分別を容易とすることができる。
【００１１】
また、角部取出口において、角部を構成する２面の切口の対向する位置に、稜線に向かって突出した２対の角部突出部を形成し、稜線の中心と両端とに、切取面積が拡大された角部取出拡大部を有するようにすれば、ティッシュペーパーが何枚も取り出されてしまうことをより容易に防止することができると共に、稜線の中心と両端とに形成された角部取出拡大部のうち好きなところからティッシュペーパーを取り出すことができ、取り出す方向をより好みに合わせて調節することができる。
【００１２】
更に、下面に、上面取出口から切り取った上面切取片を挿入する挿入口を設けるようにすれば、ティッシュペーパーの残量が少なくなったときに、上面切取片を利用してティッシュペーパーを上方に持ち上げることができる。よって、ティッシュペーパーの残量が少なくなっても、容易に取り出すことができる。また、上面切取片を利用するので、新たな部材が必要なく、従来と変わらないコストで製造することができる。
【００１３】
加えて、挿入口を、上面切取片の挿入方向における側面からの距離が上面切取片の長さよりも短くなる位置に設けるようにすれば、上面切取片を挿入口から挿入することにより上面切取片の端部が側面に当接して、上面切取片が上方に湾曲するので、容易にティッシュペーパーを上方に持ち上げることができる。
【００１４】
更にまた、下面に、上面切取片の挿入側と反対側の端部を固定するための固定口を設けるようにすれば、上面切取片を挿入口から挿入した時に反対側の端部を固定することができ、より容易にティッシュペーパーを上方に持ち上げることができる。
【００１５】
加えてまた、上面取出口において、切口の対向する位置に、対向方向に突出した少なくとも１対の上面突出部を有するようにすれば、ティッシュペーパーが傷ついてしまうことを防止しつつ、ティッシュペーパーが一度に何枚も取り出されてしまうことを防止することができる。よって、プラスチック製のフィルムを用いなくてもよく、生産工程の簡素化および製造コストの低減を図ることができると共に、リサイクル時の分別を容易とすることができる。
【００１６】
更にまた、上面取出口を一方向に伸長した帯状とし、上面突出部を長手方向に並んで２対形成し、長手方向の中心と両端とに、切取面積が拡大された上面取出拡大部を有するようにすれば、ティッシュペーパーが何枚も取り出されてしまうことをより容易に防止することができると共に、上面取出口の中心と両端とに形成された上面取出拡大部のうち好きなところからティッシュペーパーを取り出すことができ、取り出す方向をより好みに合わせて調節することができる。
【発明を実施するための最良の形態】
【００１７】
以下、本発明の実施の形態について、図面を参照して詳細に説明する。
【００１８】
（第１の実施の形態）
図１は本発明の第１の実施の形態に係る箱ティッシュの外観構成を表すものであり、図２は図１に示したＩ−Ｉ線に沿った断面構造を表すものである。この箱ティッシュは、直方体状の収納箱１０と、この収納箱１０の内部に収納されたティッシュペーパー２０とを有している。ティッシュペーパー２０は、例えば、２枚重ねの状態で、２つ折りあるいは３つ折りなどに折り畳まれ、交互に重ねて積層されている。例えば、２つ折りの場合について具体的に説明すると、図２に示したように、ティッシュペーパー２０を約半分の大きさの２つ折りとし、交互に折り畳み方向を逆向きとして、下側に重ねられるティッシュペーパー２０の上半分と、上側に重ねられるティッシュペーパー２０の下半分とを、その間のティッシュペーパー２０で挟んで積層した構造とされている。ティッシュペーパー２０を折り畳んだ形状は、例えば、折線方向Ｘに長い長方形状とされている。
【００１９】
収納箱１０は、例えば、厚紙を折り曲げて組み立てることにより構成されている。収納箱１０の内部には、積層したティッシュペーパー２０を収納する収納部１１が形成されており、ティッシュペーパー２０は、収納箱１０の上面１２と下面１３との対向方向を積層方向Ｚとして収納されている。収納箱１０の上面１２および下面１３は、ティッシュペーパー２０の折り畳み形状に合わせた形状とされており、例えば、ティッシュペーパー２０の折線方向Ｘに長い長方形状とされている。
【００２０】
収納箱１０の上面１２には、ティッシュペーパー２０を取り出すための上面取出口１２Ａが切割線で切り取れるように形成されている。切割線というのは、ミシン目孔などにより断続的に切込みが入れられた線のことである。上面取出口１２Ａは、一方向、例えばティッシュペーパー２０の折線方向Ｘに伸長した帯状とされていることが好ましい。次のティッシュペーパー２０を引き出しつつ、ティッシュペーパー２０を容易に取り出すことができるからである。
【００２１】
上面取出口１２Ａには、例えば、切口の対向する位置に、対向方向に突出した少なくとも１対の上面突出部１２Ｂが設けられていることが好ましい。上面取出口１２Ａに例えばプラスチック製のフィルムを張らなくても、ティッシュペーパー２０が傷ついてしまうことを防止しつつ、ティッシュペーパー２０が一度に何枚も取り出されてしまうことを防止することができるからである。具体的には、例えば図１に示したように、上面突出部１２Ｂを上面取出口１２Ａの長手方向に並んで２対形成し、長手方向の中心と両端とに、切取面積が拡大された上面取出拡大部１２Ｃをそれぞれ形成することが好ましい。ティッシュペーパーが何枚も取り出されてしまうことをより容易に防止することができると共に、上面取出拡大部１２Ｃのうち好きなところからティッシュペーパー２０を取り出すことができ、取り出す方向を好みに合わせて調節することができるからである。
【００２２】
この収納箱１０は、また、上面１２と１つの側面１４とにより構成される角部１５に、切割線で形成された角部取出口１５Ａを有している。上面１２のみでなく、使い方に合わせて他の方向からもティッシュペーパー２０を取り出すことができるようにするためである。この角部取出口１５Ａは、角部１５を構成する２面のそれぞれ一部、すなわち上面１２および側面１４のそれぞれ一部と、その２面に隣接する２つの側面１６，１７のそれぞれ一部とを切り取るように、角部１５の稜線１５Ｂに沿って形成されている。上面取出口１２Ａから取り出す場合と同様に、次のティッシュペーパー２０を引き出しながら、ティッシュペーパー２０を順に取り出すことができると共に、角部１５の全体を露出させるので、ティッシュペーパー２０が傷ついたり、一度に何枚も取り出されてしまうことを防止することができるからである。
【００２３】
角部取出口１５Ａには、角部１５を構成する２面の切口に、角部１５の稜線１５Ｂに向かって突出した角部突出部１５Ｃが設けられていることが好ましい。プラスチック製のフィルムを張らなくても、ティッシュペーパー２０が何枚も取り出されてしまうことをより容易に防止することができるからである。角部突出部１５Ｃは、１つでも複数でもよく、角部１５を構成する２面の切口のうち、一方の面側にのみ設けられていても、両方に設けられていてもよい。また、角部１５を構成する２面の切口にそれぞれ角部突出部１５Ｃを設ける場合には、互いに対向する位置に設けてもよく、対向していなくてもよい。中でも、角部１５を構成する２面の切口に２対の角部突出部１５Ｃを対向させて形成し、稜線１５Ｂの中心と両端とに、切取面積が拡大された角部取出拡大部１５Ｄを形成するようにすればより好ましい。ティッシュペーパー２０が何枚も取り出されてしまうことをより容易に防止することができると共に、角部取出拡大部１５Ｄのうち好きなところからティッシュペーパー２０を取り出すことができ、取り出す方向をより好みに合わせて調節することができるからである。
【００２４】
この箱ティッシュでは、使用の態様に応じて、上面取出口１２Ａあるいは角部取出口１５Ａの一方、またはその両方を切割線で切り取って開け、使用する。ティッシュペーパー２０を取り出す際には、上面取出拡大部１２Ｃまたは角部取出拡大部１５Ｄのうち、好きなところから引き出すことにより、ティッシュペーパー２０の取り出し方向をより細かく調節する。
【００２５】
このように本実施の形態によれば、上面取出口１２Ａに加えて、角部取出口１５Ａを有するようにしたので、使用の態様に応じてティッシュペーパー２０の取り出し方向を選択することができる。よって、上方が広く開放されていない状態、例えば、机の引き出しに収納して用いる場合に、引き出しを大きく引かなくてもティッシュペーパー２０を容易に取り出すことができる。また、角部取出口１５Ａは、角部１５を構成する２面のそれぞれ一部と、その２面に隣接する２つの側面のそれぞれ一部とを切り取るようにしたので、上面取出口１２Ａから取り出す場合と同様に、次のティッシュペーパー２０を引き出しながら、ティッシュペーパー２０を順に取り出すことができる。よって、ティッシュペーパー２０を特別な折り畳み方や収納をする必要がなく、汎用性を高くすることができると共に、従来と変わらないコストで製造することができる。更に、角部１５の全体を露出させることができるので、ティッシュペーパー２０を容易に取り出すことができ、ティッシュペーパー２０が傷ついたり、一度に何枚も取り出されてしまうことを防止することができる。
【００２６】
特に、角部取出口１５Ａに角部突出部１５Ｃを設けるようにすれば、または、上面取出口１２Ａに上面突出部１２Ｂを設けるようにすれば、ティッシュペーパー２０が傷ついてしまうことを防止しつつ、ティッシュペーパー２０が何枚も取り出されてしまうことをより容易に防止することができる。よって、プラスチック製のフィルムを用いなくてもよく、生産工程の簡素化および製造コストの低減を図ることができると共に、リサイクル時の分別を容易とすることができる。
【００２７】
また、角部取出口１５Ａに２対の角部突出部１５Ｃを形成し、稜線１５Ｂの中心と両端とに角部取出拡大部１５Ｄを形成するようにすれば、または、上面取出口１２Ａに２対の上面突出部１２Ｂを形成し、長手方向の中心と両端とに上面取出拡大部１２Ｃを有するようにすれば、ティッシュペーパー２０が何枚も取り出されてしまうことをより容易に防止することができると共に、角部取出拡大部１５Ｄまたは上面取出拡大部１２Ｃのうち好きなところからティッシュペーパー２０を取り出すことができ、取り出す方向をより好みに合わせて調節することができる。
【００２８】
（第２の実施の形態）
図３は本発明の第２の実施の形態に係る箱ティッシュの外観構成を表すものであり、図４は図３に示したＩＩ−ＩＩ線に沿った断面構造を表すものである。なお、図４は使用状態を表すものであり、ティッシュペーパー２０の記載を省略している。この箱ティッシュは、収納箱３０の下面３３の構造が異なることを除き、他は第１の実施の形態と同様の構成を有している。よって、第１の実施の形態と同一の構成要素には同一の符号を付し、その詳細な説明を省略する。
【００２９】
この収納箱３０は、下面３３に、上面取出口１２Ａから切り取った上面切取片１２Ｄを挿入する挿入口３３Ａが切割線により形成されている。ティッシュペーパー２０の残量が少なくなったときに、上面切取片１２Ｄを利用してティッシュペーパー２０を上方に持ち上げることができるので、新たな部材を用いることなく、容易にティッシュペーパー２０を取り出すことができるからである。挿入口３３Ａは、例えば、上面切取片１２Ｄの長手方向を、角部取出口１５Ａが設けられている角部１５の側面１４に向かって挿入できるように形成されていることが好ましい。上面取出口１２Ａまたは角部取出口１５Ａのどちらからティッシュペーパー２０を取り出す場合にも効果を得ることができるからである。
【００３０】
挿入口３３Ａを設ける位置は、例えば、上面切取片１２Ｄの挿入方向における側面１４からの距離Ｌが、上面切取片１２Ｄの長手方向の長さよりも短くなるようにすることが好ましい。上面切取片１２Ｄの端部１２Ｅが側面１４に当接して上面切取片１２Ｄが上方に湾曲するので、容易にティッシュペーパー２０を上方に持ち上げることができるからである。挿入口３３Ａは、例えば、側面１４と平行に、上面切取片１２Ｄの上面取出拡大部１２Ｃの幅とほぼ同一かそれよりも少し長い直線状に形成されていることが好ましい。
【００３１】
下面３３には、また、挿入口３３Ａの近傍に、上面切取片１２Ｄの挿入側と反対側の端部１２Ｆを固定するための固定口３３Ｂが切割線により設けられていることが好ましい。上面切取片１２Ｄを挿入口３３Ａから挿入した時に反対側の端部１２Ｆを固定することができ、より容易にティッシュペーパー２０を上方に持ち上げることができるからである。固定口３３Ｂは、例えば、挿入口３３Ａの側面１４と反対側に、側面１４と平行に、直線状に形成されていることが好ましい。固定口３３Ｂの長さは、例えば、上面切取片１２Ｄの上面取出拡大部１２Ｃの幅よりも短いことが好ましい。上面切取片１２Ｄの端部１２Ｆが挿入方向と反対側に移動することを容易に防止することができるからである。
【００３２】
この箱ティッシュでは、例えば、上面取出口１２Ａを切り取って使用する場合には、切り取った上面切取片１２Ｄを下面３３の挿入口３３Ａから挿入して保存しておく。そののち、ティッシュペーパー２０の残量が少なくなり、次のティッシュペーパー２０を引き出しにくくなったら、挿入口３３Ａに挿入しておいた上面切取片１２Ｄを挿入方向に押し、上面切取片１２Ｄを上方に湾曲させてティッシュペーパー２０を上方に持ち上げる。その際、上面切取片１２Ｄの端部１２Ｆを固定口３３Ｂに挿入して固定する。また、例えば、角部取出口１５Ａを切り取って使用する場合には、そのままティッシュペーパー２０の残量が少なくなるまで使用し、取り出しにくくなったら、上面取出口１２Ａを切り取って下面３３の挿入口３３Ａから挿入してティッシュペーパー２０を上方に持ち上げる。
【００３３】
このように本実施の形態によれば、下面３３に上面切取片１２Ｄを挿入する挿入口３３Ａを設けるようにしたので、ティッシュペーパー２０の残量が少なくなったときに、新たな部材を用いることなく、上面切取片１２Ｄを利用してティッシュペーパー２０を上方に持ち上げることができる。よって、ティッシュペーパー２０の残量が少なくなっても、容易に取り出すことができると共に、従来と変わらないコストで製造することができる。
【００３４】
特に、挿入口３３Ａを、上面切取片１２Ｄの挿入方向における側面１４からの距離Ｌが上面切取片１２Ｄの長さよりも短くなる位置に設けるようにすれば、上面切取片１２Ｄの端部１２Ｅが側面１４に当接して、上面切取片１２Ｄが上方に湾曲するので、容易にティッシュペーパー２０を上方に持ち上げることができる。
【００３５】
また、挿入口３３Ａを、角部取出口１５Ａが設けられている角部１５の側面１４に向かって上面切取片１２Ｄを挿入するように設けるようにすれば、上面取出口１２Ａまたは角部取出口１５Ａのどちらからティッシュペーパー２０を取り出す場合にも効果を得ることができる。
【００３６】
更に、下面３３に、上面切取片１２Ｄの挿入側と反対側の端部１２Ｆを固定する固定口３３Ｂを設けるようにすれば、上面切取片１２Ｄを挿入口３３Ａから挿入した時に反対側の端部１２Ｆを固定することができ、より容易にティッシュペーパー２０を上方に持ち上げることができる。
【００３７】
以上、実施の形態を挙げて本発明を説明したが、本発明は上記実施の形態に限定されるものではなく、種々変形可能である。例えば、上記実施の形態では、角部取出口１５Ａを上面１２と側面１４とにより構成される角部１５に設けるようにしたが、例えば図５に示したように、下面１３と１つの側面１４とにより構成される角部４５に角部取出口４５Ａを設けるようにしてもよい。この角部取出口４５Ａは、設けられている位置が異なることを除き、他は第１の実施の形態で説明した角部取出口１５Ａと同様の構成を有している。よって、図５では、第１の実施の形態と同一の構成要素には同一の符号を付し、角部取出口１５Ａと対応する構成要素には十の位を４に変えた符号を付して表している。
【００３８】
また、上記実施の形態では、角部取出口１５Ａを１つ設ける場合について説明したが、複数設けるようにしてもよい。その場合、上面１２の側の角部に複数設けるようにしてもよく、下面１３の側の角部に複数設けるようにしてもよく、上面１２の側の角部および下面１３の側の角部に少なくとも１つずつ設けるようにしてもよい。なお、角部取出口を設ける位置は、ティッシュペーパー２０の折線方向Ｘに位置する角部、すなわち角部１５および角部１５と稜線が平行な角部が好ましい。ティッシュペーパー２０を容易に取り出すことができるからである。
【００３９】
更に、上記実施の形態では、上面切取片１２Ｄを挿入する挿入口３３Ａを１つ設ける場合について説明したが、複数設けるようにしてもよく、固定口３３Ｂも複数設けるようにしてもよい。
【図面の簡単な説明】
【００４０】
【図１】本発明の第１実施の形態に係る箱ティッシュの外観構成を表す斜視図である。
【図２】図１に示した箱ティッシュのＩ−Ｉ線に沿った断面図である。
【図３】本発明の第２実施の形態に係る箱ティッシュの外観構成を表す斜視図である。
【図４】図３に示した箱ティッシュのＩＩ−ＩＩ線に沿った断面図である。
【図５】本発明の変形例を表す斜視図である。
【符号の説明】
【００４１】
１０，３０，４０…収納箱、１１…収納部、１２…上面、１２Ａ…上面取出口、１２Ｂ…上面突出部、１２Ｃ…上面取出拡大部、１２Ｄ…上面切取片、１２Ｅ，１２Ｆ…端部、１３，３３…下面、１４，１６，１７…側面、１５，４５…角部、１５Ａ，４５Ａ…角部取出口、１５Ｂ，４５Ｂ…稜線、１５Ｃ，４５Ｃ…角部突出部、１５Ｄ，４５Ｄ…角部取出拡大部、３３Ａ…挿入口、３３Ｂ…固定口
【要約】
【課題】汎用性に優れ、かつ、様々な方向からティッシュペーパーを容易に取り出すことができ、更に、プラスチック製のフィルムなどを用いなくても使い勝手の良い箱ティッシュおよびそれに用いる収納箱を提供する。
【解決手段】上面１２に上面取出口１２Ａが切割線で切り取れるように形成されている。上面１２と側面１４とにより構成される角部１５には、上面１２および側面１４のそれぞれ一部と、その２面に隣接する２つの側面１６，１７のそれぞれ一部とを切り取るように、切割線で形成された角部取出口１５Ａが設けられている。角部取出口１５Ａには、稜線１５Ｂに向かって突出した２対の角部突出部１５Ｃが設けられ、稜線１５Ｂの中心と両端とには切取面積が拡大された角部取出拡大部１５Ｄが設けられている。
【選択図】図１【図１】
0004216896.tif 000002
【図２】
0004216896.tif 000003
【図３】
0004216896.tif 000004
【図４】
0004216896.tif 000005
【図５】
0004216896.tif 000006